(57)【特許請求の範囲】
【請求項１】
戸に設けた堀込み錠の錠本体が有するカマ又はラッチから成る錠止杆を前記戸の前板からの出入によって施解錠させる施解錠装置において、
前記施解錠装置は、前記戸の側板に取着した長座の表面に摺動可能に配置される摘みと、その摘みと前記錠本体の内部に設けられて前記錠止杆にリンクを介して結合したハブとの間に配設される連結部材とを有し、
前記摘みは、前記長座に向き合う裏面側には摺動方向に互いに隔てて向き合う二つの対称な凸形の円弧面の間の空間として形成された溝部を具備して成り、
前記連結部材は、前記摘みの溝部に遊嵌される円柱軸と、前記長座を貫通して前記掘り込み錠における前記ハブの軸孔に嵌合するハブ軸と、前記円柱軸とハブ軸とを離隔させて保持しつつ前記長座の表面に可動に着座された軸結合用の板部材とを具備して前記摘みと前記長座との間に配置されてなり、
前記摘みを摺動させたとき、前記溝部中で前記連結部材の円柱軸が前記軸結合用板部材と共に前記長座の円弧面に沿って摺動し、前記ハブ軸を介して前記ハブを回転させ、錠止杆の出入を起動して施解錠させることを特徴とする錠の施解錠装置。
【請求項２】
戸に設けた面付け錠の錠本体が有するカマ又はラッチから成る錠止杆を前記錠の前板からの出入によって施解錠させる施解錠装置において、
前記施解錠装置は、前記面付け錠におけるケースの表面に摺動可能に配置される摘みと、その摘みと前記錠本体の内部に設けられて前記錠止杆にリンクを介して結合したハブとの間に配置される連結部材とを有し、
前記摘みは、前記ケースに対向した裏面側には摺動方向に互いに隔てて向き合う二つの対称な凸形の円弧面の間の空間として形成された溝部を具備して成り、
前記連結部材は、前記摘みの溝部に遊嵌される円柱軸と、前記ケースを貫通して前記面付け錠における前記ハブの軸孔に嵌合するハブ軸と、前記円柱軸とハブ軸とを離隔させて保持しつつ前記ケースの表面に可動に着座された軸結合用の板部材とを具備して前記摘みと前記ケースとの間に配置されてなり、
前記摘みを摺動させたとき、前記溝部中で前記連結部材の円柱軸が前記軸結合用板部材と共に前記ケースの円弧面に沿って摺動し、前記ハブ軸を介して前記ハブを回転させ、錠止杆の出入を起動して施解錠させることを特徴とする錠の施解錠装置。
【発明の詳細な説明】
【０００１】
【発明の属する技術分野】
本発明は、錠のハブを回転させて施解錠させる装置に関するものであり、掘込み錠や面付け錠などに利用される。
【０００２】
【従来の技術】
堀込錠や面付け錠における室内側の施解錠は、堀込錠にあって戸や引戸などの正面に配置された長座または面付け錠にあっては錠本体の正面に設けられたサムターンを回すことにより、前板よりカマやラッチから成る錠止杆を出入りさせることにより行われている。
【０００３】
そして、掘込み錠の場合には、サムターンが戸の側面に埋め込まれた長座に設けられ、サムターンの中心に突設された角棒からなるハブ軸が戸に埋設された錠本体内部のハブ軸孔に嵌合しており、サムターンを回すとハブが回転してリンク機構を介してラッチやカマを前板から出入させることで施解錠を行うものである。
【０００４】
また、面付け錠の場合には、サムターンが錠本体のケース表面に直接設けられており、前記掘込み錠と同様に錠本体中に収装されたリンク機構を介してラッチやカマを前板から出入させて施解錠を行うものである。
【０００５】
【発明が解決しようとする課題】
しかしながら、施解錠を行うにあたって、サムターンを指で掴んで回すという操作は面倒であるばかりか、操作しにくいという面がある。
【０００６】
殊に、図１０示すように引戸においては長座９１が引手を兼ねることから幅が狭いばかりか、凹形状に窪んで形成されているため、サムターン９２を指で掴んで回すことがきわめて困難である。
【０００７】
【課題を解決するための手段】
本発明は、前記課題を解決するためになされたものであり、堀込み錠については、戸に設けた堀込み錠の錠本体が有するカマ又はラッチから成る錠止杆を同戸の前板からの出入によって施解錠させる施解錠装置において、
同施解錠装置は、前記の戸の側板に取着した長座の表面に摺動可能に配置される摘みと、その摘みと前記の錠本体の内部に設けられて上記の錠止杆にリンクを介して結合したハブとの間に配設される連結部材とを有し、
前記の摘みは、前記の長座に向き合う裏面側には摺動方向に互いに隔てて向き合う二つの対称な凸形の円弧面の間の空間として形成された溝部を具備して成り、
前記の連結部材は、前記の摘みの溝部に遊嵌される円柱軸と、前記の長座を貫通して掘り込み錠における前記のハブの軸孔に嵌合するハブ軸と、前記の円柱軸とハブ軸とを離隔させて保持しつつ上記長座の表面に可動に着座された軸結合用の板部材とを具備して前記摘みと前記長座との間に配置されてなり、前記の摘みを摺動させたとき、前記の溝部中で前記連結部材の円柱軸が前記軸結合用板部材と共に前記長座の円弧面に沿って摺動し、前記のハブ軸を介して前記ハブを回転させ、錠止杆の出入を起動して施解錠させることにより前記課題を解決した。
【０００８】
また、面付け錠については、その錠本体が有するカマ又はラッチから成る錠止杆を同錠の前板からの出入によって施解錠させる施解錠装置において、
前記の施解錠装置は、前記の面付け錠におけるケースの表面に摺動可能に配置される摘みと、その摘みと前記錠本体の内部に設けられて前記錠止杆にリンクを介して結合したハブとの間に配置される連結部材とを有し、
上記の摘みは、上記のケースに対向した裏面側には摺動方向に互いに隔てて向き合う二つの対称な凸形の円弧面の間の空間として形成された溝部を具備して成り、
上記の連結部材は、上記の摘みの溝部に遊嵌される円柱軸と、前記のケースを貫通して面付け錠における前記のハブの軸孔に嵌合するハブ軸と、前記の円柱軸とハブ軸とを離隔させて保持しつつ前記のケースの表面に可動に着座された軸結合用の板部材とを具備して前記の摘みと前記のケースとの間に配置されてなり、
上記摘みを摺動させたとき、前記の溝部中で前記連結部材の円柱軸が前記軸結合用板部材と共に前記ケースの円弧面に沿って摺動し、前記ハブ軸を介して前記ハブを回転させ、錠止杆の出入を起動して施解錠させることにより前記課題を解決した。
【０００９】
【発明の実施の形態】
次に、第一発明の実施の形態について図面を参照して説明する。
【００１０】
図１乃至図８は掘込み錠、殊に引戸に用いられる鎌錠についての第一発明の好ましい実施の形態を示すものである。
【００１１】
掘込み錠１は、従来用いられているものと同様に、中心に軸孔３２を有しこの軸孔３２を中心に回動するハブ３と、軸３３を中心に回動してその先端が前板４の開口部５より出入するカマ６と、これらのハブ３とカマ６とを連結するリンク７とが函形の錠本体２に内蔵されており、ハブ３の回動と連動してリンク７を介してカマ６が回動してその先端が前板４に形成された開口部５より出入し、前板４から突出したときに枠体に設置された受け具（図示せず）に係止することにより施錠し、開口部５から錠本体２の内部に没入することにより開錠する。
【００１２】
そして、本発明である施解錠装置１１は、引戸５１の側板５２に埋設される長座８と、この長座８の表面に重ねられ長座８の上下方向へ摺動可能に取り付けられた摘み９と、摘み９とハブ３とを連結する連結部材１０とによって構成される。
【００１３】
長座８は、正面形状が縦長の長方形で横断面形状が凹形状に形成され戸５１の取手を兼ねており、底壁１２と、この底壁１２から立設される周壁１３と、周壁１３の上端縁に設けられたフランジ１４とからなる。そして、底壁１２の上方には正面形状が円形の凹部１５が形成されているともに、この凹部１５の中心には孔１６が穿設されている。また、左右の周壁１３の上方には対向する位置に摺動溝１７，１７が穿設されている。更に、底壁１２の上下には二つのねじ孔２９，２９が穿設されており、このねじ孔２９，２９に止めねじ３０，３０を用いて戸５１の側板５２に止めるのである。尚、底壁１２の下部は深く凹形に形成された取手部３１となっており、戸５１の開閉時にこの取手部３１に手を差し込んで開閉する。
【００１４】
また、摘み９は、正面形状が矩形で幅が長座８の幅よりやや狭く、中央に長座８の上下方向と直交方向に延びる凸部１８が形成されているとともに、この凸部１８の裏面に溝部１９が形成されている。
【００１５】
溝部１９は、凸部１８の上下の対向する側壁２０，２０によって囲まれており、この側壁２０，２０の内周面は、それぞれ溝部１９を挟んで中央が一番幅狭く、両外側方へ向かうに従って徐々に上下に対称的に拡がる円弧面２１，円弧面２２となっている。更に、凸部１８の上下の上片２３および下片２４のそれぞれの両側縁には突片２５，２５が突設されている（図２参照）。
【００１６】
そして、突片２５，２５が長座８に形成した摺動溝１７，１７に嵌合して上下方向に摺動可能な構成としたもので、円弧面２１，円弧面２２は、摘み９の摺動方向と直交方向に対して対称的に拡がることとなる。
【００１７】
更に、連結部材１０は、長円状の板部材２６の一方の端部に円柱軸２７が突設され、この円柱軸２７の反対側の端部の裏面に角棒からなるハブ軸２８が突設されている。
【００１８】
この連結部材１０は摘み９の裏面に配置され、円柱軸２７が摘み９の溝部１９に遊嵌しているとともに、ハブ軸２８は長座８の孔１６を貫通して錠本体２のハブ３の軸孔３２に嵌合している。
【００１９】
以上のように構成した掘込み錠１の施解錠装置１１は、円柱軸２７は上の円弧面２１，下の円弧面２２のいずれかと接触した状態にあり、摘み９を上下動させると、ハブ軸２８を支点に円弧面２１，円弧面２２のいずれかと摺動しながら凹部１５に沿って回動する。即ち、ハブ軸２８が回転して掘込み錠１の施解錠が行われるのである。
【００２０】
更に、これらの作動状態を図４乃至図８で詳述する。図４、図５は開錠されている時の状態で、摘み９は長座８の上方に位置し、円柱軸２７はハブ軸２８よりも上に位置しているとともに、上の円弧面２１と接触している。この状態から摘み９の凸部１８を指で掴んで下げると、円柱軸２７は円弧面２１に沿って外側方へ摺動すると同時に凹部１５の内周面に沿って図６に示すように回動する。更に、摘み９を下げると、今度は円弧面２１に沿って内側方へ摺動すると同時に凹部１５に沿って回動して、図７に示すように、円柱軸２７はハブ軸２８よりも下方に位置する。このように摘み９を押し下げるという操作で、円柱軸２７はハブ軸２８を支点に９０度回動する。即ちハブ軸２８が９０度回転することとなり、図８に示すようにリンク７を介してカマ６が回動して施錠されるのである。
【００２１】
また、解錠するときは前述の動作と逆になる。即ち、摘み９は最初に図７の位置にあり、円柱軸２７は下の円弧面２２と接触している。この状態から摘み９の凸部１８を指で掴んで上げると、円柱軸２７が円弧面２２の外側方へ摺動する同時に凹部１５の内周面を摺動しながら回動する。そして、ハブ軸２８と同一高さを通過後再び円弧面２２の内側方へ摺動して、円柱軸２７はハブ軸２８を支点に９０度回動する。即ち図５に示されるようにハブ軸２８が９０度回転して解錠されるのである。そして、摘み９は図４に示されるように上方の位置に戻るのである。
【００２２】
次に、第二発明の実施の形態について図面を参照して説明する。
【００２３】
図９は面付け錠、殊に開き戸に用いられるラッチ錠について第二発明の好ましい実施の形態を示すものである。
【００２４】
面付け錠６１は、開き戸６２の側板に錠本体６３が取り付けられる。従来の構造と同様に、錠本体６３の内部には、ハブ（図示せず）と連動して前板７９の開口部より出入するラッチ７８などが内蔵され、前板７９から突出するラッチ７８が枠体に設置された受け具（図示せず）に係止することにより施錠し、また錠本体６３の内部に没入することにより解錠される。
【００２５】
そして、錠本体６３のケース表面６４に適宜な間隔で縦に延びる二本の摺動溝６５，６５が形成され、こ摺動溝６５，６５に上下方向に摺動可能な摘み６６が取り付けられ、また、この摘み６６とハブとを連結する連結部材６７が配置され、これら摘み６６、連結部材６７とによって面付け錠６１の施解錠装置６８が構成される。そして、摺動孔６５，６５の間には正面形状円形の凹部６９が形成され、この凹部６９の中心には孔７０が穿設されている。
【００２６】
摘み６６、連結部材６７は前記の第一発明における実施の形態の摘み９、連結部材１０と全く同様の構成であり、摘み６６は表面側に凸部７１と裏面側に溝部７２とを有し、溝部７２には摘みの上下方向の摺動方向と直交する方向に対して対称的に外側へ向かって拡がる二つの円弧面７３，７４が形成されている。また、両側縁には突片７５，７５が突設されている（図２参照）。
【００２７】
そして、突片７５，７５が摺動孔６５，６５に嵌合して上下方向に摺動可能な構成とされている。
【００２８】
連結部材６７は、一方の端部に円柱軸７６と、他方の端部の裏面に角棒からなるハブ軸７７が突設された構成である。そして、この連結部材６７は摘み６６の裏面に配置され、円柱軸７６が摘み６６の溝部７２に遊嵌しているとともに、ハブ軸７７は孔７０を貫通して錠本体６３のハブの軸孔に嵌合している。
【００２９】
以上のように構成した面付け錠６１の施解錠装置６８は、前記第一発明の実施の形態と同様の作用・効果を有する。即ち、円柱軸７６が上の円弧面７３，下の円弧面７４のいずれかと接触しており、摘み６６を上下動させると、円柱軸７６はハブ軸７７を支点に円弧面７３，円弧面７４のいずれかと摺動しながら凹部６９に沿って回動する。この回動でハブ軸７７は９０度回転して面付け錠６１の施解錠が行われるのである。
【００３０】
尚、前記二つの実施の形態では摘み９，６６に凸部１８，７１を設けて構成したことにより、摘み９，６６が掴みやすいなどの効果を有するが、凸部を設けないで、摘み全体の上下の長さをやや短く形成して摘み全体を掴んで摺動させるように構成してもよく、また、対向する円弧面２１，７３、円弧面２２，７４は左右いずれか一方のみを形成するだけの構成でも差し支えないものである。
【００３１】
【発明の効果】
以上のように本発明は、従来のサムターンを回して施解錠していた代わりに、摘みを摺動させるという簡単な操作で施解錠できるように構成したものであるから、従来のサムターンを回転させるという面倒な操作がなく、摘みを摺動させるだけで容易に錠の施解錠が行えるものである。
【００３２】
殊に、掘込み錠にあっては、長座と、この長座に摺動する摘みと、摘みとハブとを連結する連結部材との組み合わせであるから、構成が簡単であるばかりか、長座が幅狭く凹形に窪んでいても、摘みを摘んで摺動させるという操作で施解錠でき、きわめて容易に操作しやすい施解錠装置となるものである。
【００３３】
更に、面付け錠でも、摘みを錠本体に直接摺動可能設ければ、同様の作用効果が得られるものである。
【００３４】
また、ハブの回転は、ハブに嵌合させたハブ軸に連結された円柱軸が摘みの円弧面との摺動による回動によって行われるものであるから、確実に回転されるばかりか、鎌錠、ラッチ錠など従来サムターンを用いて施解錠する錠ならば、どの形式の錠にも利用でき、利用範囲の広い装置となるものである。
【図面の簡単な説明】
【図１】第一発明の実施の形態の分解斜視図である。
【図２】図１に示した実施の形態の摘みの裏面側から見た斜視図である。
【図３】図１に示した実施の形態の縦断面図である。
【図４】図１に示した実施の形態の施錠時の長座側の説明図である。
【図５】図１に示した実施の形態の施錠時の錠本体内部の説明図である。
【図６】図１に示した実施の形態の施錠時と開錠時の間の長座側の説明図である。
【図７】図１に示した実施の形態の施錠時の長座側の説明図である。
【図８】図１に示した実施の形態の施錠時の錠本体内部の説明図である。
【図９】第二発明の実施の形態を示す斜視図である。
【図１０】従来例を示す斜視図である。
【符号の説明】
１  掘込み錠
２  錠本体
３  ハブ
６  カマ
８  長座
９  摘み
１０  連結部材
１１  施解錠装置
１９  溝部
２１  円弧面
２２  円弧面
２７  円柱軸
２８  ハブ軸
３２  軸孔
６１  面付け錠
６３  錠本体
６６  摘み
６７  連結部材
６８  施解錠装置
７３  円弧面
７４  円弧面
７６  円柱軸
７７  ハブ軸
【図１】
0003727986.tif 000002
【図２】
0003727986.tif 000003
【図３】
0003727986.tif 000004
【図４】
0003727986.tif 000005
【図５】
0003727986.tif 000006
【図６】
0003727986.tif 000007
【図７】
0003727986.tif 000008
【図８】
0003727986.tif 000009
【図９】
0003727986.tif 000010
【図１０】
0003727986.tif 000011